(57)【要約】【課題】装置を構成する回路等の大幅な変更なしに、投影期間中に入力される映像信号の周波数に応じた極短時間の黒期間を挿入する。【解決手段】発光素子からの光を透過または反射する過程で色光を選択して出射させる色光選択エリア31T，31Gと、発光素子からの光を出射させない遮蔽エリア31B1，31B2とを回転周面に設けた蛍光ホイール31と、蛍光ホイール31から出射されてきた色光を用いて光像を形成するマイクロミラー素子(14)と、マイクロミラー素子(14)で形成された光像を被投影対象に向けて投影する投影レンズ部(17)とを備える。【選択図】図２
2018049110.tif 000002
【特許請求の範囲】
【請求項１】
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、
上記蛍光ホイールを回転駆動するモータと、
上記蛍光ホイールから出射された光を用いて光像を形成する、複数のマイクロミラーから構成された表示素子と、
上記蛍光ホイールの回転によって上記発光素子からの光の照射位置に上記遮蔽エリアが位置する間に、上記マイクロミラーのオン／オフの反転動作を行うように制御する制御部と、
を備える投影装置。
【請求項２】
上記表示素子で形成された光像を被投影対象に向けて投影する投影部を備え、
上記制御部は、上記蛍光ホイールの回転によって上記発光素子からの光の照射位置に上記遮蔽エリアが位置する間中、上記発光素子の発光が継続されるように制御する
請求項１記載の投影装置。
【請求項３】
上記発光素子は、レーザ光を発する半導体レーザを含み、
上記蛍光光反射エリアは、第１の蛍光体が周状に塗布され、上記レーザ光の照射により励起して第１の蛍光光を出射し、反射光として生成する第１の蛍光光反射エリアと、上記第１の蛍光体と異なる波長帯域の第２の蛍光体が周状に塗布され、上記レーザ光の照射により励起して第２の蛍光光を出射し、反射光として生成する第２の蛍光光反射エリアと、を含む
請求項１又は２記載の投影装置。
【請求項４】
上記遮蔽エリアは、上記蛍光光反射エリアと上記透過エリアとの境界、又は上記第１の蛍光光反射エリアと上記第２の蛍光光反射エリアとの境界に設けられている請求項３記載の投影装置。
【請求項５】
上記遮蔽エリアは、上記蛍光光反射エリア側に設けられている請求項１乃至４いずれか記載の投影装置。
【請求項６】
上記蛍光ホイールは、中心角の異なる複数の上記遮蔽エリアを設け、
上記発光素子からの光を上記複数の遮蔽エリアのうちの１つに選択的に照射させるよう上記発光素子の発光タイミングを制御する制御部をさらに備える
請求項１乃至５いずれか記載の投影装置。
【請求項７】
上記制御部は、上記遮蔽エリアの選択と対応して上記蛍光ホイールの回転方向を可変設定する請求項２記載の投影装置。
【請求項８】
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、
上記蛍光ホイールを回転駆動するモータと、
を備える光源装置。
【請求項９】
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、上記蛍光ホイールを回転駆動するモータと、上記蛍光ホイールから出射された光を用いて光像を形成する、複数のマイクロミラーから構成された表示素子と、を備える装置での投影方法であって、
上記蛍光ホイールの回転によって上記発光素子からの光の照射位置に上記遮蔽エリアが位置する間に、上記マイクロミラーのオン／オフの反転動作を行うように制御する制御工程を有する投影方法。
【請求項１０】
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、上記蛍光ホイールを回転駆動するモータと、上記蛍光ホイールから出射された光を用いて光像を形成する、複数のマイクロミラーから構成された表示素子と、を備える装置が内蔵したコンピュータが実行するプログラムであって、上記コンピュータを、
上記蛍光ホイールの回転によって上記発光素子からの光の照射位置に上記遮蔽エリアが位置する間に、上記マイクロミラーのオン／オフの反転動作を行うように制御する制御部として機能させるプログラム。
【発明の詳細な説明】
【技術分野】
【０００１】
本発明は、高解像度の光変調素子を用いたプロジェクタ等に好適な投影装置、光源装置、投影方法及びプログラムに関する。
【背景技術】
【０００２】
テレビ受像機やディスプレイにおいて、４Ｋ解像度（横４０００画素×縦２０００画素程度の解像度）に対応した製品が広く一般に普及しつつある現況で、データプロジェクタ等の投影装置においても、同様に高解像度に対応した技術が種々提案されている。（例えば、特許文献１）
【先行技術文献】
【特許文献】
【０００３】
【特許文献１】特開２０１２−２４２６２６号公報
【発明の概要】
【発明が解決しようとする課題】
【０００４】
上記特許文献に記載された技術を含めて、光源からの光をなんらかの光変調素子に照射し、その透過光または反射光により光像を形成してレンズ光学系で出射し、被投影対象となるスクリーン面に投影するような投影装置においても、上述した如く高解像度化が検討されている。
【０００５】
このうち、特に近年普及しつつある、ＭＥＭＳ（Ｍｉｃｒｏ  Ｅｌｅｃｔｒｏ  Ｍｅｃｈａｎｉｃａｌ  Ｓｙｓｔｅｍｓ）技術により実用化されたマイクロミラー素子を光変調素子とする、ＤＬＰ（登録商標）（Ｄｉｇｉｔａｌ  Ｌｉｇｈｔ  Ｐｒｏｃｅｓｓｉｎｇ）方式のプロジェクタ装置について考える。
【０００６】
例えば２Ｋ解像度（横２０００画素×縦１０００画素程度の解像度）に対応したプロジェクタ装置の製品が既にある時点で、４Ｋ解像度に対応したマイクロミラー素子を用いたプロジェクタ装置を新たに製品化する場合、マイクロミラー素子の素子サイズを変えることなく高解像度化することができれば、マイクロミラー素子周囲の光源系やレンズ光学系など、マイクロミラー素子以外のハードウェアをサイズアップに伴って新たに設計し直す必要がないため、大変に合理的に対応できる。
【０００７】
しかしながら、素子サイズを変えずに高解像度化を図った場合、当然ながら１画素当たりのマイクロミラーの面積は、例えば１／４程度に縮小される。そのような極小面積のマイクロミラーをアレイ構成したマイクロミラー素子では、特に長時間にわたって画像の一部エリアで同一のオン／オフ状態を維持するような駆動環境下で、当該エリアのマイクロミラーが固着する不具合が発生する傾向にあることがわかっている。
【０００８】
例えば、画像の台形補正機能を有するプロジェクタ装置では、画像中の両側端の３角形状のエリアで画像の表示を行なわないために、光源からの光をレンズ光学系以外に反射させるべく、オフ表示を維持する必要があり、当該エリアのマイクロミラーに固着が発生する可能性が高い。
【０００９】
上記したマイクロミラーの固着を防ぐためには、例えば画像投影の１フレームまたは２フレーム毎に全体のおよそ１／１００の期間に相当する、１００［マイクロ秒］強の時間に渡って、表示内容を反転するべくオン／オフさせるリフレッシュ動作が有効であることが確認されている。
【００１０】
しかしながら、このリフレッシュ動作中にも投影動作を継続すると、例えば台形補正機能により両側端がカットされているエリアで本来の投影画像以外の画像が投影される動作が継続して実行され、投影画像の品質を著しく劣化させる結果となる。したがって、上記リフレッシュ動作時には全光源を一時的に消灯する黒期間とする必要がある。
【００１１】
以下、マイクロミラー素子をリフレッシュ動作させるために黒期間を設定する過程について説明する。なお以下の説明では、１枚のマイクロミラー素子と蛍光ホイールとを用いた、所謂「単板式」の投影装置を前提とする。
【００１２】
プロジェクタ装置が認識する主な映像周波数として、全米テレビジョン放送方式標準化委員会が策定したコンポジット映像信号とそのテレビジョン放送の方式（規格）であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式と、カラーコンポジット映像信号の規格であるＰＡＬ（Ｐｈａｓｅ  Ａｌｔｅｒｎａｔｉｎｇ  Ｌｉｎｅ、位相反転線）方式がある。ＮＴＳＣ方式の垂直同期周波数が６０Ｈｚ（厳密には５９．９４Ｈｚ）に対して、ＰＡＬ方式の垂直同期周波数は５０Ｈｚである。このため、複数の入力信号周波数の動作に対応する必要がある。
【００１３】
図８（Ａ）は、５０［Ｈｚ］系の設定範囲で最も高い周波数、５２．１［Ｈｚ］の入力信号の周波数をロックした場合の蛍光ホイールレートを示す。装置内部では、入力信号の２倍の周波数で装置を駆動するため、数値は２倍の１０４．２［Ｈｚ］となる。同図（Ａ）の下段がＲ（赤），Ｇ（緑），Ｂ（青）の各原色フィールド、上段が上記フィールドに同期したシンクパルスであり、同シンクパルスを発生して蛍光ホイールを同図（Ａ）の下段で示すように各フィールドに同期させると共に、対応する発光素子を同期して発光駆動させることで、正しく時分割で原色光が発せられ、マイクロミラー素子に照射される。マイクロミラー素子では、照射される原色光に応じた画像表示を行なうことで、その反射光により光像が形成されて、レンズ光学系を介して投影される。
【００１４】
一方の図８（Ｂ）は、６０［Ｈｚ］系の設定範囲で最も高い周波数、６２．０［Ｈｚ］の入力信号の周波数をロックした場合の蛍光ホイールレートを示す。装置内部では、入力信号の２倍の周波数で装置を駆動するため、数値は２倍の１２４．０［Ｈｚ］となる。同じく同図（Ｂ）の下段がＲ（赤），Ｇ（緑），Ｂ（青）の各原色フィールド、上段が上記フィールドに同期したシンクパルスである。
【００１５】
上述した如くそれぞれの蛍光ホイールレートにはロック可能な「守備範囲」が装置によって設定されるものであり、ここでは５０［Ｈｚ］系で９４．００［Ｈｚ］〜１０４．２０［Ｈｚ］、６０［Ｈｚ］系で１０２．４０［Ｈｚ］〜１２４．００［Ｈｚ］が設定されている場合を例にとって説明している。上述した如く、装置内部では入力信号の周波数の２倍で各回路を駆動するために周波数の数値が２倍となっている。上記設定した範囲を外れた周波数の入力信号では、装置が入力信号にロックすることができず、投影動作を行なえない。
【００１６】
上記図８（Ａ）、図８（Ｂ）はそれぞれ守備範囲中の最も高い周波数でロックした場合のタイミングを例示したものである。
【００１７】
図９は、５０［Ｈｚ］系の標準値５０．０［Ｈｚ］の入力信号をロックした場合の同蛍光ホイールレートを示すものである。内部での同期周波数は１００．０［Ｈｚ］となり、１画像フレームの周期が丁度１００００［μ秒］となる。
【００１８】
なお上記図示では、説明を簡易にするために、Ｒ，Ｇ，Ｂの各フィールド期間の比を１：１：１としているが、他の比を用いる場合であってもそのバランスを崩すことなく、周波数をロックした信号に対処することができる。
【００１９】
上述した如く、ロックする入力信号の周波数に応じて、フレーム１周期当たりの期間が変わる。例えば、６０［Ｈｚ］系で１２４．０［Ｈｚ］の場合の１周期は８０６４．５［μ秒］、同１０２．４［Ｈｚ］の場合の１周期は９７６５．６［μ秒］であり、最も高い周波数に対して最も低い周波数では約２１％周期が延びる。
【００２０】
同様に、５０［Ｈｚ］系で１０４．２［Ｈｚ］の場合の１周期は９５９６．９［μ秒］、同９４．０［Ｈｚ］の場合の１周期は１０６３８．３［μ秒］であり、最も高い周波数に対して最も低い周波数では約１０％周期が延びる。
【００２１】
入力信号をロックする状況に応じて、上記リフレッシュ動作を行なうための処理時間も変化する。ここで、リフレッシュ期間の長さを  
時間長＝（蛍光ホイールレート最大周波数／同最小周波数）×１００［μ秒］  
として定義すると、  
６０［Ｈｚ］系でのリフレッシュ期間の時間長は約１２１［μ秒］  
（≒（１２４．０／１０２．４）×１００［μ秒］）、  
５０［Ｈｚ］系でのリフレッシュ期間の時間長は約１１１［μ秒］  
（≒（１０４．２／９４．０）×１００［μ秒］）、  
となる。
【００２２】
上記リフレッシュ動作を実行するために、あらためて従来のシーケンス動作について説明する。  
図１０（Ａ）は、リフレッシュ動作を実行しない、通常の蛍光ホイールレートを示すタイミングチャートである。上段が電源に与えるシンクパルスであり、下段が同電源によって駆動される光源が発光する原色光である。
【００２３】
ここでは、例えば赤色光Ｒは赤色光を発光するＬＥＤによる独立光源から得られ、緑色光Ｇは図１０（Ｂ）に示す蛍光ホイールに塗布される蛍光体（図中の「Ｇ」の範囲に塗布）に下記青色レーザ光を照射して得られる蛍光反射光、青色光Ｂは独立光源である青色レーザ光を上記図１０（Ｂ）に示す蛍光ホイールの拡散板（図中の「Ｂ」の範囲）の透過光としてそれぞれ得られるものとする。
【００２４】
図１０（Ａ）の上段に示すシンクパルスを電源に向けて発行することで、同パルスを受けた電源が以下の処理を行なう。
【００２５】
すなわち、（１）のシンクパルスを受けた電源は、赤色ＬＥＤをオフし、同時に青色レーザをオンする。このとき青色レーザは蛍光ホイールのＧの範囲に照射され、その蛍光反射光である緑色光が得られる。
【００２６】
（２）のシンクパルスを受けた電源は、青色レーザをオンとしたまま、必要に応じて色バランス調整により電流値調整を行なう。このとき図中にタイミングｔ11で示すように、蛍光ホイールの方向Ｄへの回転によって、青色レーザ光の照射範囲がＢの拡散板となって、その透過拡散光である青色光が得られるよう、光源では別途蛍光ホイールの同期調整も同時に実行している。
【００２７】
（３）のシンクパルスを受けた電源は、青色レーザをオフし、同時に赤色ＬＥＤをオンする。独立光源である赤色光が得られる。
【００２８】
上記図１０に示したシーケンスに加えて、上述したリフレッシュ動作による黒期間を追加する場合を考える。
【００２９】
図１１は、上記図１０（Ａ）で示したシーケンスのフレーム周期末尾に黒期間を配置した仮想の蛍光ホイールレートの例を示す。この動作が実現できれば、容易に上記リフレッシュ動作が実行可能となる。
【００３０】
この図１１では、（１）と（２）のシンクパルスと、赤色光Ｒが得られる期間、及び緑色光Ｇが得られる期間については上記図１０（Ａ）と同様である。
【００３１】
また図１０（Ａ）で青色光Ｂの期間があるところ、蛍光ホイールの中心角で１２０°相当中の６°分を削って、（３）′のシンクパルスと（４）のシンクパルス間で黒期間を生成している。
【００３２】
実際に色バランスを維持しながら黒期間を作る場合は、各色の占める割合に応じて（１）、（２）の各シンクパルスに移動させる必要がある。例えば、Ｒ，Ｇ，Ｂ各色の時間比が１：１：１、蛍光ホイールの中心角相当で(Ｒ)１２０°：(Ｇ)１２０°：(Ｂ)１２０°であった場合に６°相当の黒期間を作るのであれば、(Ｒ)１１８°：(Ｇ)１１８°：(Ｂ)１１８°となるように（１）〜（３）のシンクパルスを生成する。
【００３３】
また、例えば、Ｒ，Ｇ，Ｂ各色の時間比が３：２：１、蛍光ホイールの中心角相当で(Ｒ)１８０°：(Ｇ)１２０°：(Ｂ)６０°であった場合に６°相当の黒期間を作るのであれば、色バランスを保つために(Ｒ)１７７°：(Ｇ)１１８°：(Ｂ)５９°となるように（１）〜（３）のシンクパルスを生成する。
【００３４】
上記（１），（２）のシンクパルスを受けた電源が行なう動作は、上記図１０（Ａ）の場合と同様である一方で、（３）′、（４）′のシンクパルスを受けた電源は、次のように動作する必要がある。
【００３５】
すなわち、（３）′のシンクパルスを受けた電源は、青色レーザをオフする。  
その後、（４）′のシンクパルスを受けた時点で、電源は赤色ＬＥＤをオンする。
【００３６】
図１２（Ａ）は、上記（３）′、（４）′のシンクパルス部分を拡大して示す図である。（３）′のシンクパルスで青色レーザがオフしても、当該青色レーザの応答性によって直ちに発光量が「０（ゼロ）」になるわけではなく、また（４）′のシンクパルスにより赤色ＬＥＤがオンしても、この赤色ＬＥＤの応答性により直ちに１００％の発光量となるわけではない。
【００３７】
図１２（Ｂ）は、上記（３）′、（４）′のシンクパルス間の時間１６０［μ秒］を確保できていることがわかる。上述した如く（３）′のシンクパルスで青色レーザがオフしてから、実際に青色レーザの発光量が「０（ゼロ）」になるまでに約４０［μ秒］を要しており、約１００［μ秒］の黒期間を確保できることがわかる。
【００３８】
なお青色レベルの応答性が悪く、オフしてから発光量が「０（ゼロ）」になるまでにさらに時間を要するような製品を使用する場合には、上記（３）′、（４）′のシンクパルスの間隔をさらに広げることで対処する。
【００３９】
ここで問題となるのは、上記（３）′、（４）′のシンクパルスの時間的な間隔が極端に小さい点にある。上記（３）′、（４）′のシンクパルスを発生させ、この種の製品に使用されるデジタル電源に与えた場合、その時間的な間隔が小さすぎるが故に、電源側では後ろ側の（４）′のシンクパルスを認識することができない。
【００４０】
一般的にこの種の投影装置で用いられるデジタル電源では、シンクパルスは最低でも５００［μ秒］程度離間させる必要がある。そのため、上記図１１で説明したような動作を実現するためには、従来の製品で用いられていたデジタル電源ではなく、より高価な電源に変更するか、あるいは新規に開発する必要がある。
【００４１】
そのため、上記図１１で説明した、シンクパルスを用いてリフレッシュ動作のための黒期間を生成する動作は、実現性がきわめて低く、その他の手段により、入力される信号の周波数に応じて適正な黒期間を生成する方法が模索されている。
【００４２】
本発明は上記のような実情に鑑みてなされたもので、その目的とするところは、装置を構成する回路等の大幅な変更なしに、投影期間中に、入力される映像信号の周波数に応じた極短時間の投影を行なわない黒期間を挿入することが可能な投影装置、光源装置、投影方法及びプログラムを提供することにある。
【課題を解決するための手段】
【００４３】
本発明の一態様は、発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、上記蛍光ホイールを回転駆動するモータと、上記蛍光ホイールから出射された光を用いて光像を形成する、複数のマイクロミラーから構成された表示素子と、上記蛍光ホイールの回転によって上記発光素子からの光の照射位置に上記遮蔽エリアが位置する間に、上記マイクロミラーのオン／オフの反転動作を行うように制御する制御部と、を備える。
【発明の効果】
【００４４】
本発明によれば、装置を構成する回路等の大幅な変更なしに、投影期間中に、入力される映像信号の周波数に応じた極短時間の投影を行なわない黒期間を挿入することが可能なとなる。
【図面の簡単な説明】
【００４５】
【図１】本発明の第１の実施形態に係るプロジェクタ装置の概略機能構成を示すブロック図。
【図２】同実施形態に係る蛍光ホイールの構成を一般的な蛍光ホイールの構成を参照して説明する平面図。
【図３】同実施形態に係る投影動作時の処理内容を示すフローチャート。
【図４】同実施形態に係る５０［Ｈｚ］系の画像信号に対する蛍光ホイールの回転と投影画像のシーケンスを示す図。
【図５】同実施形態に係る６０［Ｈｚ］系の画像信号に対する蛍光ホイールの回転と投影画像のシーケンスを示す図。
【図６】本発明の第２の実施形態に係る蛍光ホイールの構成を説明する平面図。
【図７】同実施形態に係る５０［Ｈｚ］系、６０［Ｈｚ］系の各画像信号に対する蛍光ホイールの回転を示す図。
【図８】５０［Ｈｚ］系、６０［Ｈｚ］系でそれぞれ最も高い周波数の入力信号の同期をロックした場合の蛍光ホイールレートを示すタイミングチャート。
【図９】５０［Ｈｚ］の入力信号の同期をロックした場合の蛍光ホイールレートを示すタイミングチャート。
【図１０】リフレッシュ動作を実行しない、通常の蛍光ホイールレートを示すタイミングチャートと蛍光ホイールの構成例とを示す図。
【図１１】リフレッシュ動作を実行する場合の仮想蛍光ホイールレートを示すタイミングチャート。
【図１２】図１１のシンクパルス（３）′、（４）′部分を拡大して示すタイミングチャート。
【発明を実施するための形態】
【００４６】
（第１の実施形態）  
以下本発明をＤＬＰ（登録商標）方式のプロジェクタ装置に適用した場合の第１の実施形態について図面を参照して説明する。
【００４７】
図１は、本実施形態に係るプロジェクタ装置１０の概略機能構成を示す図である。同図で入力部１１は、例えばピンジャック（ＲＣＡ）タイプのビデオ入力端子、Ｄ−ｓｕｂ１５タイプのＲＧＢ入力端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、ＵＳＢ（Ｕｎｉｖｅｒｓａｌ  Ｓｅｒｉａｌ  Ｂｕｓ）端子などにより構成される。入力部１１に入力された各種規格のアナログまたはデジタルの画像信号は、入力部１１で必要に応じてデジタル化された後に、システムバスＳＢを介して画像変換部１２に送られる。
【００４８】
画像変換部１２は、一般にスケーラあるいはフォーマッタとも称され、入力されるデジタル値の画像データを、投影に適した所定フォーマットの画像データに統一して投影処理部１３へ送る。
【００４９】
投影処理部１３は、送られてきた画像データに応じたフレームレート、例えば元の画像信号の周波数が５０［Ｈｚ］系であれば１００［フレーム／秒］前後（６０［Ｈｚ］系であれば１２０［フレーム／秒］前後）と、色成分の分割数、及び表示階調数を乗算した、より高速な時分割駆動により、空間的光変調素子であるマイクロミラー素子１４を表示するべく駆動する。
【００５０】
このマイクロミラー素子１４は、アレイ状に配列された高解像度、例えば横４０００画素×縦２０００画素分の微小ミラーの各傾斜角度を個々に高速でオン／オフ動作して画像を表示することで、その反射光により光像を形成する。
【００５１】
一方で、光源部１５から時分割でＲ，Ｇ，Ｂの原色光が循環的に出射される。この光源部１５からの原色光が、ミラー１６で全反射して上記マイクロミラー素子１４に照射される。
【００５２】
そして、マイクロミラー素子１４での反射光で光像が形成され、形成された光像が投影レンズ部１７を介して、投影対象となる図示しないスクリーンに投影表示される。
【００５３】
光源部１５は、赤色光を発するＬＥＤ（発光ダイオード）、青色のレーザ光を発するＬＤ（半導体レーザ）、上記青色のレーザ光を蛍光体に照射して緑色光を励起させる蛍光ホイールを有するものとする。
【００５４】
上記投影処理部１３は、上記マイクロミラー素子１４での画像の表示による光像の形成と、上記光源部１５内の発光素子としての上記ＬＥＤ，ＬＤの各発光、及び蛍光ホイールの回転を、後述するＣＰＵ１９の制御の下に実行する一方で、デジタル電源１８に対してフィールド切換のためのシンクパルスを送出し、またこのデジタル電源１８と電源制御用の各種コマンド信号の送受を行なう。
【００５５】
上記デジタル電源１８は、このプロジェクタ装置１０用に与えられるＡＣ電源（図示せず）から各回路に必要な多数の直流電圧値を生成して供給すると共に、光源部１５に対してＬＥＤ及びＬＤの発光駆動と蛍光ホイールの回転に必要な電力を供給する。
【００５６】
上記各回路の動作すべてをＣＰＵ１９が制御する。このＣＰＵ１９は、メインメモリ２０及びプログラムメモリ２１と直接接続される。メインメモリ２０は、例えばＳＲＡＭで構成され、上記ＣＰＵ１９のワークメモリとして機能する。プログラムメモリ２１は、電気的に書換可能な不揮発性メモリで構成され、上記ＣＰＵ１９が実行する動作プログラムや各種定型データなどを記憶する。換言すれば、ＣＰＵ１９は上記メインメモリ２０及びプログラムメモリ２１を用いて、このプロジェクタ装置１０内の制御動作を実行する。
【００５７】
上記ＣＰＵ１９は、操作部２２からのキー操作信号に応じて各種投影動作を実行する。  
この操作部２２は、プロジェクタ装置１０の本体に設けられるキー操作部と、このプロジェクタ装置１０専用の図示しないリモートコントローラからの赤外光を受光する赤外線受光部とを含み、ユーザが本体のキー操作部またはリモートコントローラで操作したキーに基づくキー操作信号をＣＰＵ１９へ直接出力する。
【００５８】
上記ＣＰＵ１９はさらに、上記システムバスＳＢを介して音声処理部２３とも接続される。音声処理部２３は、ＰＣＭ音源等の音源回路を備え、投影動作時にシステムバスＳＢを介して与えられる音声データをアナログ化し、スピーカ部２４を駆動して拡声放音させ、あるいは必要によりビープ音等を発生させる。
【００５９】
図２（Ａ）は、上記光源部１５内に設けられる蛍光ホイール３１の構成を示す平面図である。同図（Ａ）で、蛍光ホイール３１の外周縁近傍には、上記した青色のレーザ光を拡散させながら透過させる透過エリア３１Ｔと、緑色蛍光体を周状に塗布して、青色のレーザ光の照射により励起して緑色光を蛍光光として出射し、反射光として生成する緑色光反射エリア３１Ｇと、が周方向に並設され、円盤面を構成する。蛍光ホイール３１は図示しないモータにより回転駆動される。
【００６０】
ここでは説明を簡易にするために、透過エリア３１Ｔの蛍光ホイール３１に対する中心角が１／３相当の１２０°、緑色光反射エリア３１Ｇの蛍光ホイール３１に対する中心角が２／３相当の２４０°であるものとする。
【００６１】
さらに、上記緑色光反射エリア３１Ｇの蛍光体を塗布した部分の両端、それぞれ透過エリア３１Ｔと隣接する部分には、意図して蛍光体を塗布せず、青色のレーザ光が照射されても、透過及び反射いずれもしない遮蔽エリア３１Ｂ１，３１Ｂ２を設ける。
【００６２】
ここで２つの遮蔽エリア３１Ｂ１，３１Ｂ２は、図示するように蛍光ホイール３１に対する中心角が異なるように、周方向の幅を異ならせて設定している。
【００６３】
すなわち、遮蔽エリア３１Ｂ１は、６０［Ｈｚ］系で最大の回転数を例えば１２４［ｒｐｍ］と設定した場合に、その１周に要する時間、約８０６５［μ秒］中で、必要な黒期間１００［μ秒］を確保するために、蛍光ホイール３１に対する中心角が約４．４６°となるように形成させている。
【００６４】
一方の遮蔽エリア３１Ｂ２は、５０［Ｈｚ］系で最大の回転数を例えば１０４．２［ｒｐｍ］と設定した場合に、その１周に要する時間、約９５９７［μ秒］中で、必要な黒期間１００［μ秒］を確保するために、蛍光ホイール３１に対する中心角が約３．７５°となるように形成させている。
【００６５】
図２（Ｂ）は、参考までに、従来からの一般的なハイブリッド光源用の蛍光ホイールＰＲの構成例を示した平面図である。透過エリアＰＲＴと緑色光反射エリアＰＲＧとで合わせて円盤状の構成としているが、透過エリアＰＲＴは硬質高耐熱ガラス製、緑色光反射エリアＰＲＧは金属製であり、素材が異なる両者を接着剤により接着して円盤状の蛍光ホイールＰＲを構成している。そのため、接着剤の影響により蛍光体を塗布できないエリアＰＲＢ１，ＰＲＢ２が存在することが許容されている。これらのエリアＰＲＢ１，ＰＲＢ２の蛍光ホイールＰＲに対する中心角は、例えば０．５°〜２°程度内で収まるように規定されている。
【００６６】
図２（Ａ）に示す如く本実施形態では、意図的に蛍光体を塗布しない幅広、且つ中心角を異ならせて設定した遮蔽エリア３１Ｂ１，３１Ｂ２を存在させることで、後述するように投影動作中での黒期間を生成するものである。
【００６７】
次に上記実施形態の動作について説明する。  
なお、以下に示す動作は、基本的にＣＰＵ１９の制御の下に投影処理部１３が実行する処理を示す。
【００６８】
図３は、主として投影処理部１３が実行する、電源投入時からの投影動作を示すフローチャートである。電源投入当初に投影処理部１３は、デフォルトの映像信号周波数として６０［Ｈｚ］を設定し、予め用意されたスプラッシュスクリーン画像、あるいは予め設定された壁紙の画像をプログラムメモリ２１から読出して（ステップＳ１０１）、マイクロミラー素子１４で表示させることで、初期画像の表示を行なうと共に、光源部１５により赤色光Ｒ、緑色光Ｇ、青色光Ｂを順次時分割で発光駆動させて、投影動作を実行する（ステップＳ１０２）。
【００６９】
この投影動作を実行しながら、さらに投影処理部１３では入力部１１を介して新規な画像信号の入力があるか、入力部１１に入力される画像信号が切換えられたかを判断する（ステップＳ１０３）。
【００７０】
ここで新規な画像信号の入力も画像信号の切換えも発生していないと判断した場合（ステップＳ１０３のＮｏ）、投影処理部１３では再び上記ステップＳ１０２からの処理に戻って投影動作を続行する。
【００７１】
こうしてステップＳ１０２，Ｓ０３の処理を繰返し実行し、同様の投影動作を続行しながら、新たな画像信号の入力と画像信号の切換えが発生するのを待機する。
【００７２】
ステップＳ１０３において、新たな画像信号が入力されるか、画像信号の切換えが発生したと判断した場合（ステップＳ１０３のＹｅｓ）、投影処理部１３はそこで新たに入力されることになった画像信号に同期ロックした上で、周波数の５０［Ｈｚ］系と６０［Ｈｚ］系間での切換えが必要であるか否かを判断する（ステップＳ１０４）。
【００７３】
ここで周波数系の切換えが必要でなく、新たに入力される画像信号も同様の周波数系であると判断した場合には（ステップＳ１０４のＮｏ）、周波数の５０［Ｈｚ］系と６０［Ｈｚ］系間での切換えは無効であるものと設定して（ステップＳ１０５）、再び上記ステップＳ１０２からの処理に戻る。
【００７４】
ただし、周波数の５０［Ｈｚ］系と６０［Ｈｚ］系間での切換えはなくとも、実際に入力される画像信号の周波数が、例えば６０［Ｈｚ］系のロック可能な守備範囲が１０２．４０［Ｈｚ］〜１２４．００［Ｈｚ］として設定されており、当該守備範囲内でそれまで入力されていた画像信号と今回新たに入力されるようになった画像信号とで周波数が異なる場合、投影処理部１３は上述したように、新たに入力されることになった画像信号にロックした上で、その周波数にしたがって投影動作を続行する。
【００７５】
図５は、初期設定と同様に、６０［Ｈｚ］系で６０．０［Ｈｚ］の画像信号が入力されている場合の蛍光ホイール３１の駆動（図５（Ａ））と、投影画像のシーケンス（図５（Ｂ））を示す図である。蛍光ホイール３１に対して図面の紙面上側から下側に向けて青色レーザ光が照射されるものとした場合、図示するように蛍光ホイール３１は反時計回りの方向Ｄ２で回転駆動される。
【００７６】
同図（Ａ）では、蛍光ホイール３１の構成に加えて、単独光源である赤色ＬＥＤによる発光期間（Ｒ）を破線で示すように重ね合わせて図示している。赤色ＬＥＤによる発光期間は、青色レーザ光の照射位置が、遮蔽エリア３１Ｂ２を含んで緑色光反射エリア３１Ｇの最初の中心角１２０°分に位置する期間となっており、Ｒフィールドでの投影動作が実行される当該期間には、青色レーザは発光を停止している。
【００７７】
その後、赤色ＬＥＤの発光停止と青色レーザの発光開始が同時に実行され、緑色光反射エリア３１Ｇの中心角１１５．５４°分（＝１２０°−４．４６°）相当の期間だけ、蛍光ホイール３１からの反射光でＧフィールドでの投影動作が実行される。
【００７８】
その後も青色レーザの発光は継続されるが、蛍光ホイール３１の回転によってレーザ光の照射位置に遮蔽エリア３１Ｂ１が位置する間、蛍光体が存在しないために緑色光は励起されず、マイクロミラー素子１４へは光源部１５からの光が照射されない黒期間となる。
【００７９】
その後、さらに蛍光ホイール３１が回転して、青色レーザ光が透過エリア３１Ｔに照射されると、この透過エリア３１Ｔで透過、拡散した青色光によるＢフィールドでの投影動作が実行される。
【００８０】
以上、Ｒフィールド、Ｇフィールド、黒期間、及びＢフィールドの順序で纏めて１フレーム分の画像投影が実行されるもので、６０．０［Ｈｚ］の画像信号が入力されている場合の１フレーム分の周期は、図示する如く８３３３．３［μ秒］となる。
【００８１】
このとき、上記遮蔽エリア３１Ｂ１による黒期間は、約１０３［μ秒］となり、台形補正等によりオフ動作しているマイクロミラー素子１４の一部エリアのリフレッシュ動作が可能な最低時間１００［μ秒］を確保している。
【００８２】
また上記ステップＳ１０４において、周波数の５０［Ｈｚ］系と６０［Ｈｚ］系間での切換えが必要であると判断した場合には（ステップＳ１０４のＹｅｓ）、投影処理部１３では一旦光源部１５における赤色ＬＥＤ、青色レーザの発光を共に停止した上で（ステップＳ１０６）、蛍光ホイール３１の回転方向をそれまでとは反転するよう設定する（ステップＳ１０７）。
【００８３】
その後、投影処理部１３では蛍光ホイール３１の回転数をサーチし（ステップＳ１０８）、入力される画像信号の周波数の２倍となったか否かにより、正しい回転数となったかどうかを判断する（ステップＳ１０９）。
【００８４】
ここでまだ正しい回転数になっていないと判断した場合（ステップＳ１０９のＮｏ）、投影処理部１３では上記ステップＳ１０８からの処理に戻り、以後蛍光ホイール３１の回転数をサーチしながら、正しい回転数に上昇するまで待機する。
【００８５】
そして、上記ステップＳ１０９において、蛍光ホイール３１の回転数が正しい回転数にまで上昇したと判断した時点で（ステップＳ１０９のＹｅｓ）、投影処理部１３では再び蛍光ホイール３１の回転に同期して赤色ＬＥＤ、青色レーザの発光を共に開始させた上で（ステップＳ１１０）、上記ステップＳ１０２からの処理に戻る。
【００８６】
こうして、新たに入力されることになった画像信号に基づく投影動作が実行されるようになる。
【００８７】
図４は、５０［Ｈｚ］系で５０．０［Ｈｚ］の画像信号が入力されている場合の蛍光ホイール３１の駆動（図４（Ａ））と、投影画像のシーケンス（図４（Ｂ））を示す図である。蛍光ホイール３１に対して図面の紙面上側から下側に向けて青色レーザ光が照射されるものとした場合、図示するように蛍光ホイール３１は時計回りの方向Ｄ１で回転駆動される。
【００８８】
同図（Ａ）では、蛍光ホイール３１の構成に加えて、単独光源である赤色ＬＥＤによる発光期間（Ｒ）を破線で示すように重ね合わせて図示している。赤色ＬＥＤによる発光期間は、青色レーザ光の照射位置が、遮蔽エリア３１Ｂ１を含んで緑色光反射エリア３１Ｇの最初の中心角１２０°分に位置する期間となっており、Ｒフィールドでの投影動作が実行される当該期間には、青色レーザは発光を停止している。
【００８９】
その後、赤色ＬＥＤの発光停止と青色レーザの発光開始が同時に実行され、緑色光反射エリア３１Ｇの中心角１１６．２５°分（＝１２０°−３．７５°）相当の期間だけ、蛍光ホイール３１からの反射光でＧフィールドでの投影動作が実行される。
【００９０】
その後も青色レーザの発光は継続されるが、蛍光ホイール３１の回転によってレーザ光の照射位置に遮蔽エリア３１Ｂ２が位置する間、蛍光体が存在しないために緑色光は励起されず、マイクロミラー素子１４へは光源部１５からの光が照射されない黒期間となる。
【００９１】
その後、さらに蛍光ホイール３１が回転して、青色レーザ光が透過エリア３１Ｔに照射されると、この透過エリア３１Ｔで透過、拡散した青色光によるＢフィールドでの投影動作が実行される。
【００９２】
以上、Ｒフィールド、Ｇフィールド、黒期間、及びＢフィールドの順序で纏めて１フレーム分の画像投影が実行されるもので、５０．０［Ｈｚ］の画像信号が入力されている場合の１フレーム分の周期は、図示する如く１００００［μ秒］となる。
【００９３】
このとき、上記遮蔽エリア３１Ｂ２による黒期間は、約１０４［μ秒］となり、台形補正等によりオフ動作しているマイクロミラー素子１４の一部エリアのリフレッシュ動作が可能な最低時間１００［μ秒］を確保している。
【００９４】
このように、蛍光ホイール３１の回転方向を５０［Ｈｚ］系の画像信号と６０［Ｈｚ］系の画像信号とで反転させることにより、１画像フレームを常にＲフィールド、Ｇフィールド、黒期間、及びＢフィールドの順序で構成して投影動作を実行させることができ、投影処理部１３によるフィールド間の制御シーケンスを単純化できる。
【００９５】
なお上記実施形態では、説明を簡易にするために、１画像フレームを構成するＲフィールド、Ｇフィールド、及びＢフィールドの期間の比が１：１：１であるものとし、Ｇフィールドに対応する期間中に黒期間を配置する場合を例に採って説明した。
【００９６】
しかしながら、実際の製品では、色バランスと黒期間の長さとを考慮して、Ｒフィールド、Ｇフィールド、及びＢフィールドの期間が設定されるものであり、蛍光ホイール３１の構成においてもそれらの期間の比に応じて透過エリア３１Ｔ、及び緑色光反射エリア３１Ｇそれぞれの蛍光ホイール３１に対する中心角の設定がなされるものとなる。
【００９７】
（第２の実施形態）  
以下本発明をＤＬＰ（登録商標）方式のプロジェクタ装置に適用した場合の第２の実施形態について図面を参照して説明する。
【００９８】
なお、本実施形態に係るプロジェクタ装置１０′の概略機能構成に関しては、上記図１と同様であるものとして、同一部分には同一符号を用いて、その図示と説明とを省略する。
【００９９】
なおこのプロジェクタ装置１０′における光源部１５は、青色光を発するＬＥＤ（発光ダイオード）、励起用の青色のレーザ光を発するＬＤ（半導体レーザ）、上記青色のレーザ光を蛍光体に照射して赤色光及び緑色光を励起させる蛍光ホイールを有するものとする。
【０１００】
図６は、上記光源部１５内に設けられる蛍光ホイール４１の構成を示す平面図である。同図で蛍光ホイール４１は、赤色蛍光体（第２の蛍光体）を周状に塗布して、上記青色のレーザ光の照射により励起して赤色光（第２の蛍光光）を反射光として生成する赤色光反射エリア（第２の蛍光光反射エリア）４１Ｒと、緑色蛍光体（第１の蛍光体）を周状に塗布して、上記青色のレーザ光の照射により励起して緑色光（第１の蛍光光）を反射光として生成する緑色光反射エリア（第１の蛍光光反射エリア）４１Ｇと、で円盤面を構成する。
【０１０１】
ここでは説明を簡易にするために、赤色光反射エリア４１Ｒと緑色光反射エリア４１Ｇが蛍光ホイール４１を均等に２分して構成されるものとする。
【０１０２】
さらに、上記赤色光反射エリア４１Ｒと緑色光反射エリア４１Ｇとの境界に跨がる部分には、意図して蛍光体を塗布せず、青色のレーザ光が照射されても、透過及び反射いずれもしない遮蔽エリア４１Ｂ１，４１Ｂ２を設ける。
【０１０３】
ここで２つの遮蔽エリア４１Ｂ１，４１Ｂ２は、図示するように蛍光ホイール３１に対する中心角が異なるように、周方向の幅を異ならせて設定している。
【０１０４】
すなわち、遮蔽エリア４１Ｂ１は、５０［Ｈｚ］系で最大の回転数を例えば１０４．２［ｒｐｍ］と設定した場合に、その１周に要する時間、約９５９７［μ秒］中で、必要な黒期間１００［μ秒］を確保するために、蛍光ホイール４１に対する中心角が約３．７５°となるように形成させている。
【０１０５】
一方の遮蔽エリア４１Ｂ２は、６０［Ｈｚ］系で最大の回転数を例えば１２４［ｒｐｍ］と設定した場合に、その１周に要する時間、約８０６５［μ秒］中で、必要な黒期間１００［μ秒］を確保するために、蛍光ホイール３１に対する中心角が約４．４６°となるように形成させている。
【０１０６】
これら意図的に蛍光体を塗布しない幅広、且つ中心角を異ならせて設定した遮蔽エリア４１Ｂ１，４１Ｂ２を存在させることで、後述するように投影動作中での黒期間を生成する。
【０１０７】
次に上記実施形態の動作について説明する。  
図７（Ａ）は、５０［Ｈｚ］系の画像信号が入力されている場合の蛍光ホイール４１の駆動を示す図である。蛍光ホイール４１に対して図面の紙面上側から下側に向けて青色レーザ光が照射されるものとした場合、図示するように蛍光ホイール４１は時計回りの方向Ｄ１で回転駆動される。
【０１０８】
同図（Ａ）では、蛍光ホイール４１の構成に加えて、単独光源である青色ＬＥＤによる発光期間（Ｂ）を破線で示すように重ね合わせて図示している。青色ＬＥＤによる発光期間は、上記遮蔽エリア４１Ｂ２を中心とする中心角１２０°分の期間となっており、Ｂフィールドでの投影動作が実行される当該期間には、青色レーザは発光を停止している。
【０１０９】
その後、青色ＬＥＤの発光停止と青色レーザの発光開始が同時に実行され、赤色光反射エリア４１Ｒの中心角１１８．１３°分（＝１２０°−３．７５°／２）相当の期間だけ、蛍光ホイール４１からの反射光でＲフィールドでの投影動作が実行される。
【０１１０】
その後も青色レーザの発光は継続されるが、蛍光ホイール４１の回転によってレーザ光の照射位置に遮蔽エリア４１Ｂ１が位置する間、蛍光体が存在しないために赤色光及び緑色光は励起されず、マイクロミラー素子１４へは光源部１５からの光が照射されない黒期間となる。
【０１１１】
その後、さらに蛍光ホイール４１が回転して、青色レーザ光が緑色光反射エリア４１Ｇに照射されると、この緑色光反射エリア４１Ｇで励起された緑色光によるＧフィールドでの投影動作が実行される。
【０１１２】
以上、Ｒフィールド、黒期間、Ｇフィールド、及びＢフィールドの順序で纏めて１フレーム分の画像投影が実行されるもので、例えば５０．０［Ｈｚ］の画像信号が入力されている場合の１フレーム分の周期は１００００［μ秒］となる。
【０１１３】
このとき、上記遮蔽エリア３１Ｂ１による黒期間は、約１０４［μ秒］となり、台形補正等によりオフ動作しているマイクロミラー素子１４の一部エリアのリフレッシュ動作が可能な最低時間１００［μ秒］を確保できる。
【０１１４】
図７（Ｂ）は、６０［Ｈｚ］系の画像信号が入力されている場合の蛍光ホイール４１の駆動を示す図である。蛍光ホイール４１に対して図面の紙面上側から下側に向けて青色レーザ光が照射されるものとした場合も、図示するように蛍光ホイール４１は時計回りの方向Ｄ１で回転駆動される。
【０１１５】
同図（Ｂ）では、蛍光ホイール４１の構成に加えて、単独光源である青色ＬＥＤによる発光期間（Ｂ）を破線で示すように重ね合わせて図示している。青色ＬＥＤによる発光期間は、上記遮蔽エリア４１Ｂ１を中心とする中心角１２０°分の期間となっており、Ｂフィールドでの投影動作が実行される当該期間には、青色レーザは発光を停止している。
【０１１６】
その後、青色ＬＥＤの発光停止と青色レーザの発光開始が同時に実行され、緑色光反射エリア４１Ｇの中心角１１７．７７°分（＝１２０°−４．４６°／２）相当の期間だけ、蛍光ホイール４１からの反射光でＧフィールドでの投影動作が実行される。
【０１１７】
その後も青色レーザの発光は継続されるが、蛍光ホイール４１の回転によってレーザ光の照射位置に遮蔽エリア４１Ｂ２が位置する間、蛍光体が存在しないために緑色光、赤色光は励起されず、マイクロミラー素子１４へは光源部１５からの光が照射されない黒期間となる。
【０１１８】
その後、さらに蛍光ホイール４１が回転して、青色レーザ光が赤色光反射エリア４１Ｒに照射されると、この赤色光反射エリア４１Ｒで励起した赤色光によるＲフィールドでの投影動作が実行される。
【０１１９】
以上、Ｒフィールド、Ｂフィールド、Ｇフィールド、及び黒期間の順序で纏めて１フレーム分の画像投影が実行されるもので、例えば６０．０［Ｈｚ］の画像信号が入力されている場合の１フレーム分の周期は８３３３．３［μ秒］となる。
【０１２０】
このとき、上記遮蔽エリア４１Ｂ２による黒期間は、約１０３［μ秒］となり、台形補正等によりオフ動作しているマイクロミラー素子１４の一部エリアのリフレッシュ動作が可能な最低時間１００［μ秒］を確保できる。
【０１２１】
このように、蛍光ホイール４１の回転方向を５０［Ｈｚ］系の画像信号と６０［Ｈｚ］系の画像信号とで同一方向とすることにより、信号切換え時に蛍光ホイール４１の回転方向を反転させる必要がなく、すみやかに新たな画像信号に同期した投影動作が開始できる。
【０１２２】
以上詳述した如く本実施形態によれば、装置を構成する回路等の大幅な変更なしに、投影期間中に、入力される映像信号の周波数に応じた極短時間の投影を行なわない黒期間を挿入することが可能となる。
【０１２３】
また上記実施形態では、蛍光ホイールに中心角の異なる複数の遮蔽エリアを設け、発光素子からの光を複数の遮蔽エリアのうちの１つに選択的に照射させるよう発光素子の発光タイミングを制御するものとしたので、入力される画像信号の周波数に対応して適正な時間長の黒期間を設定できる。
【０１２４】
さらに上記第１の実施形態では、複数の遮蔽エリアから１つを選択するのと併せて、蛍光ホイールの回転方向を適宜を可変設定するものとしたので、１画像フレームを構成する各色フィールド及び黒期間の順序を変更せずに画像信号の切換えに対処できる。
【０１２５】
また上記実施形態は、蛍光ホイール上の遮蔽エリアを複数の色光エリアの境目となるように配置することで、蛍光体を塗布することができない領域を有効に活用すると共に、黒期間のタイミング制御を簡易化することができる。
【０１２６】
なお、上記第１の実施形態では光源部が独立光源としての赤色ＬＥＤと、青色レーザからの光を蛍光ホイール３１を介して青色光及び緑色光を得る場合について、第２の実施形態では光源部が独立光源としての青色ＬＥＤと、青色レーザからの光を蛍光ホイール４１を介して赤色光及び緑色光を得る場合について、それぞれ説明したが、本発明はそのような発光素子と色の組合せに限るものではない。
【０１２７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１２８】
以下に、本願出願の当初の特許請求の範囲に記載された発明を付記する。  
［請求項１］  
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、  
上記蛍光ホイールを回転駆動するモータと、  
上記蛍光ホイールから出射された光を用いて光像を形成する、複数のマイクロミラーから構成された表示素子と、  
上記蛍光ホイールの回転によって上記発光素子からの光の照射位置に上記遮蔽エリアが位置する間に、上記マイクロミラーのオン／オフの反転動作を行うように制御する制御部と、  
を備える投影装置。  
［請求項２］  
上記表示素子で形成された光像を被投影対象に向けて投影する投影部を備え、  
上記制御部は、上記蛍光ホイールの回転によって上記発光素子からの光の照射位置に上記遮蔽エリアが位置する間中、上記発光素子の発光が継続されるように制御する  
請求項１記載の投影装置。  
［請求項３］  
上記発光素子は、レーザ光を発する半導体レーザを含み、  
上記蛍光光反射エリアは、第１の蛍光体が周状に塗布され、上記レーザ光の照射により励起して第１の蛍光光を出射し、反射光として生成する第１の蛍光光反射エリアと、上記第１の蛍光体と異なる波長帯域の第２の蛍光体が周状に塗布され、上記レーザ光の照射により励起して第２の蛍光光を出射し、反射光として生成する第２の蛍光光反射エリアと、を含む  
請求項１又は２記載の投影装置。  
［請求項４］  
上記遮蔽エリアは、上記蛍光光反射エリアと上記透過エリアとの境界、又は上記第１の蛍光光反射エリアと上記第２の蛍光光反射エリアとの境界に設けられている請求項３記載の投影装置。  
［請求項５］  
上記遮蔽エリアは、上記蛍光光反射エリア側に設けられている請求項１乃至４いずれか記載の投影装置。  
［請求項６］  
上記蛍光ホイールは、中心角の異なる複数の上記遮蔽エリアを設け、  
上記発光素子からの光を上記複数の遮蔽エリアのうちの１つに選択的に照射させるよう上記発光素子の発光タイミングを制御する制御部をさらに備える  
請求項１乃至５いずれか記載の投影装置。  
［請求項７］  
上記制御部は、上記遮蔽エリアの選択と対応して上記蛍光ホイールの回転方向を可変設定する請求項２記載の投影装置。  
［請求項８］  
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、  
上記蛍光ホイールを回転駆動するモータと、  
を備える光源装置。  
［請求項９］  
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、上記蛍光ホイールを回転駆動するモータと、上記蛍光ホイールから出射された光を用いて光像を形成する、複数のマイクロミラーから構成された表示素子と、を備える装置での投影方法であって、  
上記蛍光ホイールの回転によって上記発光素子からの光の照射位置に上記遮蔽エリアが位置する間に、上記マイクロミラーのオン／オフの反転動作を行うように制御する制御工程を有する投影方法。  
［請求項１０］  
発光素子からの光により励起されて蛍光光が発せられる蛍光体を有する蛍光光反射エリア及び上記発光素子からの光を透過させる透過エリアの少なくとも一方と、上記発光素子からの光を出射させない遮蔽エリアとが円周方向に並設するように設けられた蛍光ホイールと、上記蛍光ホイールを回転駆動するモータと、上記蛍光ホイールから出射された光を用いて光像を形成する、複数のマイクロミラーから構成された表示素子と、を備える装置が内蔵したコンピュータが実行するプログラムであって、上記コンピュータを、  
上記蛍光ホイールの回転によって上記発光素子からの光の照射位置に上記遮蔽エリアが位置する間に、上記マイクロミラーのオン／オフの反転動作を行うように制御する制御部として機能させるプログラム。
【符号の説明】
【０１２９】
１０，１０′…プロジェクタ装置、
１１…入力部、
１２…画像変換部、
１３…投影処理部、
１４…マイクロミラー素子（表示素子）、
１５…光源部、
１６…ミラー、
１７…投影レンズ部、
１８…デジタル電源、
１９…ＣＰＵ、
２０…メインメモリ、
２１…プログラムメモリ、
２２…操作部、
２３…音声処理部、
２４…スピーカ部、
３１…蛍光ホイール、
３１Ｂ１，３１Ｂ２…遮蔽エリア、
３１Ｇ…緑色光反射エリア（蛍光光反射エリア）、
３１Ｔ…透過エリア、
４１…蛍光ホイール、
４１Ｂ１，４１Ｂ２…遮蔽エリア、
４１Ｇ…緑色光反射エリア（第１の蛍光光反射エリア）、
４１Ｒ…赤色光反射エリア（第２の蛍光光反射エリア）、
ＳＢ…システムバス。
【図１】
2018049110.tif 000003
【図２】
2018049110.tif 000004
【図３】
2018049110.tif 000005
【図４】
2018049110.tif 000006
【図５】
2018049110.tif 000007
【図６】
2018049110.tif 000008
【図７】
2018049110.tif 000009
【図８】
2018049110.tif 000010
【図９】
2018049110.tif 000011
【図１０】
2018049110.tif 000012
【図１１】
2018049110.tif 000013
【図１２】
2018049110.tif 000014